(57)【要約】【課題】　液晶パネルの配向不良による光洩れを最小限にとどめると共に、ショート不良による輝点発生を防止して、さらに表示品質を向上させることができる表示装置を提供する。【解決手段】　第１の補助入力信号線に接続された３本のデータ線からなる第１のデータ線の組と、第２の補助入力信号線に接続された３本のデータ線からなる第２のデータ線の組とを有し、第１のデータ線の組と第２のデータ線の組とが、交互に配列され、各画素を構成する３ドットには、表示信号を供給する前に、直前に供給されていた表示信号とは基準レベルに対して異なる極性の一定信号を第１の補助入力信号線及び第２の補助入力信号線を介して供給する。【選択図】 図１
2004094270.tif 000002
【特許請求の範囲】
【請求項１】
複数の走査線と複数のデータ線との交差に対応して設けられた赤、緑、青の３ドットにより構成された複数の画素を有し、
第１の補助入力信号線にスイッチング素子を介して接続された３本のデータ線からなる第１のデータ線の組と、第２の補助入力信号線にスイッチング素子を介して接続された３本のデータ線からなる第２のデータ線の組とを有し、前記第１のデータ線の組と前記第2のデータ線の組とが、交互に配列され、
各画素を構成する３ドットには、前記第１のデータ線の組または前記第２のデータ線の組を介して同極性の表示信号が供給され、
前記第１のデータ線の組には基準レベルに対して同極性の表示信号を供給し、かつ、前記第２のデータ線の組には前記基準レベルに対して逆極性の表示信号を供給し、
　また、前記表示信号を供給する前に、直前に供給されていた表示信号とは前記基準レベルに対して異なる極性の一定信号を、前記第１の補助入力信号線及び前記第２の補助入力信号線を介して、前記第１のデータ線の組及び前記第２のデータ線の組にそれぞれ供給することを特徴とする表示装置。
【請求項２】
前記スイッチング素子は、同一の信号によりオンされ、一定信号が前記第１の補助入力信号線及び前記第２の補助入力信号線から同時に前記データ線に供給されることを特徴とする請求項１記載の表示装置。
【請求項３】
複数の走査線と複数のデータ線との交差に対応して設けられた赤、緑、青の３ドットから構成された複数の画素を有する表示装置の駆動方法であって、
第１の補助入力信号線にスイッチング素子を介して接続された３本のデータ線からなる第１のデータ線の組と、第２の補助入力信号線にスイッチング素子を介して接続された３本のデータ線からなる第２のデータ線の組とを有し、前記第１のデータ線の組と前記第２のデータ線の組とが、交互に配列され、
　各画素を構成する３ドットには基準レベルに対して同極性の表示信号が供給され、
　前記第１のデータ線の組に表示信号を供給する前に、当該第１のデータ線の組に直前に供給されていた前記表示信号の極性とは異なる極性の一定信号が、第１の補助入力信号線よりスイッチング素子を介して当該第１のデータ線の組に供給され、
前記第２のデータ線の組には、前記基準レベルに対して逆極性の表示信号が供給され、当該逆極性の表示信号を当該第２のデータ線の組に供給する前に、当該第２のデータ線の組に直前に供給されていた表示信号の極性とは異なる極性の一定信号が、第２の補助入力信号線よりスイッチング素子を介して当該第２のデータ線の組に供給されることを特徴とする表示装置の駆動方法。
【請求項４】
前記スイッチング素子は、同一の信号によりオンされ、前記一定信号が前記第１の補助入力信号線及び前記第２の補助入力信号線から同時に前記データ線に供給されることを特徴とする請求項３記載の表示装置の駆動方法。
【発明の詳細な説明】
【技術分野】
【０００１】
　本発明は、高密度に配列された表示要素により映像を表示する表示装置に関する。
【背景技術】
【０００２】
　図７にフルカラー映像を表示するアクティブマトリクス型液晶パネルの構造の概略を示す。この図において、５０はデータ線５１と走査線５２とがマトリクス状に配置されたガラス基板である。このガラス基板５０上には、ソース電極がデータ線５１に、ゲート電極が走査線５２に各々接続されたＴＦＴ（薄膜トランジスタ）５３、５３、…と、そのドレイン電極に接続された画素電極５４、５４、…とが形成されている。
【０００３】
　５５はガラス基板５０に対向して固定されたガラス基板であり、これらガラス基板５０、５５の間隙に液晶が封入されている。５６はカラーフィルタであり、Ｒ、Ｇ、Ｂが各々の画素電極５４に対向して配置され、各々が１ドットを構成し、Ｒ、Ｇ及びＢの３ドットで１画素を構成している。５７は直流電圧源５８と接続され、一定電圧Ｖcomが印加された共通電極である。このような構成において、ＴＦＴ５３を介して各データ線５１からの表示信号が各画素電極５４へ印加され、これにより、各ドットに表示データが書き込まれる。
【０００４】
　ここで、液晶パネルは、直流駆動するとイオンが片側に溜まり、すぐに劣化するので、一般に、液晶に印加する表示信号の極性をある一定周期毎（フィールド毎）に反転させて駆動する。この極性反転は、上述のように共通電極５８に一定電圧Ｖcomを印加し、表示信号Ｖiの極性を一定周期毎に反転させて行う。このようにすることにより、図８に示すように画素電極と共通電極との間の差電圧の極性（図中の＋，−）が反転し、液晶に印加される表示信号の極性が反転する。
【０００５】
　従来においては、かかる極性反転の方式として、まず、フィールド毎に極性反転を行うものがある。これは、例えば、最初のフィールドの書き込み時には、共通電極の電圧に対して大きい電圧（以下、「＋の電圧」という）を画素電極に印加し、続くフィールドの書き込み時には、共通電極の電圧に対して小さい電圧（以下、「−の電圧」という）を画素電極に印加し、以降、同様に＋、−の電圧を交互に印加する方式である。これを１Ｖ反転と称し、図９の上段に示す。この方式では、＋、−の電圧が完全には対称とならず、フリッカ（ちらつき）が生じやすいという問題がある。
【０００６】
　一方、図９の中段に示した１Ｈ反転とは、それぞれの走査線に対応する行毎（画素行毎）に各々極性反転を行うものである。すなわち、最初のフィールドの書き込み時においては、例えば、１行目は＋、２行目は−、３行目は＋、…の電圧を印加し、次のフィールドの書き込み時においては、１行目は−、２行目は＋、３行目は−、…の電圧を印加し、以降、これと同様の極性反転を繰り返す方式である。この方式では、フリッカは軽減されるが、行単位で電荷が移動することから、行方向のクロストークが発生しやすいという欠点がある。
【０００７】
　そして、図９の下段に示した１Ｄｏｔ反転とは、ドット毎に各々極性反転を行うものである。すなわち、図示のように最初のフィールドの書き込み時に上下左右いずれのドットとの関係においても異なる極性の電圧を印加し、続くフィールドの書き込み時には、各ドットの極性を反転し、やはり上下左右いずれのドットとの関係においても異なる極性の電圧を印加するという方式である。この方式によれば、フリッカが軽減されると共に、電荷の移動が隣接するドット間で行われるのでクロストークも発生しにくいという利点があり、一般的に良く用いられている。
【発明の開示】
【発明が解決しようとする課題】
【０００８】
　ところで、上述した１Ｄｏｔ反転においては、隣接する左右のドット同士で印加される電圧の極性が異なっているので、ドット間に電界が生じて液晶が該電界の方向へ傾く。これにより、光を遮るべき場合においても、図１０に示すように各ドットの縁部Ｄから光が洩れる配向不良（ディスクリネーション）という現象が生ずる。このため、カラーフィルタにブラックストライプと呼ばれる格子状の黒い遮光膜をかけて漏洩光を遮光することが行われている。
【０００９】
　しかし、かかる遮光膜を設けるという配向不良対策は、液晶パネルの開口率を低下させ、輝度の低下や画質の劣化等を招くこととなるという問題点を有していた。特に、反転させる極性間の電位差が大きい場合には、その分配向不良が発生しやすく、ブラックストライプの幅を大きくしなければならないので、表示品質を著しく低下させることになる。従って、良好な画像を得るためには、漏洩光を遮光する配向不良対策を講じるよりも、配向不良の発生自体を最小限とすることの方が有効である。
【００１０】
　又、液晶パネルがノーマリーホワイトモードである場合、隣接するドットの画素電極間でショート不良が発生すると、前記１Ｄｏｔ反転においては、ショートしているドット間で印加されるべき電圧が相殺され、この部分の液晶に常時電圧が印加されなくなり、結果、輝点（常時点灯する点）欠陥となっていた。この輝点欠陥は、表示装置において重大な問題である。
【００１１】
　本発明はこのような事情に鑑みてなされたもので、液晶パネルの配向不良による光洩れを最小限にとどめると共に、その最小限とした光洩れの影響をも除去し、更に、赤、緑、青の３ドットのうち、中央のドットと左右いずれか又は両方のドット間でのショート不良による輝点発生を防止し、また、表示品質を向上させることができる表示装置を提供することを目的とする。
【課題を解決するための手段】
【００１２】
　本願発明の表示装置は、複数の走査線と複数のデータ線との交差に対応して設けられた赤、緑、青の３ドットにより構成された複数の画素を有し、第１の補助入力信号線にスイッチング素子を介して接続された３本のデータ線からなる第１のデータ線の組と、第２の補助入力信号線にスイッチング素子を介して接続された３本のデータ線からなる第２のデータ線の組とを有し、前記第１のデータ線の組と前記第２のデータ線の組とが、交互に配列され、各画素を構成する３ドットには、前記第１のデータ線の組または前記第２のデータ線の組を介して同極性の表示信号が供給され、前記第１のデータ線の組には基準レベルに対して同極性の表示信号を供給し、かつ、前記第２のデータ線の組には前記基準レベルに対して逆極性の表示信号を供給し、また、前記表示信号を供給する前に、直前に供給されていた表示信号とは前記基準レベルに対して異なる極性の一定信号を、前記第１の補助入力信号線及び前記第２の補助入力信号線を介して、前記第１のデータ線の組及び前記第２のデータ線の組にそれぞれ供給することを特徴とする。
【００１３】
　また、上記表示装置において、前記スイッチング素子は、同一の信号によりオンされ、一定信号が前記第１の補助入力信号線及び前記第２の補助入力信号線から同時に前記データ線に供給されることが好ましい。
【００１４】
　本願発明の駆動方法は、複数の走査線と複数のデータ線との交差に対応して設けられた赤、緑、青の３ドットから構成された複数の画素を有する表示装置の駆動方法であって、
第１の補助入力信号線にスイッチング素子を介して接続された３本のデータ線からなる第１のデータ線の組と、第２の補助入力信号線にスイッチング素子を介して接続された３本のデータ線からなる第２のデータ線の組とを有し、前記第１のデータ線の組と前記第２のデータ線の組とが、交互に配列され、　各画素を構成する３ドットには基準レベルに対して同極性の表示信号が供給され、　前記第１のデータ線の組に表示信号を供給する前に、当該第１のデータ線の組に直前に供給されていた前記表示信号の極性とは異なる極性の一定信号が、第１の補助入力信号線よりスイッチング素子を介して当該第１のデータ線の組に供給され、前記第２のデータ線の組には、前記基準レベルに対して逆極性の表示信号が供給され、当該逆極性の表示信号を当該第２のデータ線の組に供給する前に、当該第２のデータ線の組に直前に供給されていた表示信号の極性とは異なる極性の一定信号が、第２の補助入力信号線よりスイッチング素子を介して当該第２のデータ線の組に供給されることを特徴とする。
【００１５】
　また、上記駆動方法において、前記スイッチング素子は、同一の信号によりオンされ、前記一定信号が前記第１の補助入力信号線及び前記第２の補助入力信号線から同時に前記データ線に供給されることが好ましい。
【発明の効果】
【００１６】
　本発明によれば、隣接して設けられた赤、緑、青のドットにより各画素が構成された液晶表示パネルに対し、各画素におけるドットについては同一であって、隣接する画素同士では異なる極性の駆動電圧を供給することとしたので、印加電圧の極性が異なる位置が各画素の端部のみとなり、配向不良が各画素の一方の端部においてのみ発生する。これにより、各画素毎に１箇所のみ配向不良が生ずることとなり、画質を劣悪にする不測の光洩れを最小限にとどめることができるという効果が得られる。
【００１７】
　又、ブラックストライプを設けるに際しても、各画素毎に一つのドットに対してのみ設ければよいこととなるので、輝度の低下も軽減することができ、表示品質を格段に向上させることができるという効果が得られる。
【００１８】
　更に、各画素内の３つのドットのうち、中央のドットと左右いずれか又は両方のドット間でショート不良が発生しても、各画素内で印加電圧の極性が同一であるので、この部分の液晶への電圧印加停止を避けることができ、輝点欠陥の発生を防止することができる。これにより、輝点欠陥による表示品質の低下をも回避することができる。
【００１９】
　また、補助入力信号線から、微小時間の間に、それぞれが対応する画素の組の直前に供給された表示信号と異なる極性の一定の信号が供給されるので、各ドットにおいて、電荷がチャージされて、各ドットへの表示信号の印加が十分に行われる。
【発明を実施するための最良の形態】
【００２０】
　以下に図面を参照して本発明の一実施形態について説明する。図１は本発明の一実施形態による液晶表示装置の概略構成を示す図である。この図の液晶表示装置は、フルカラー映像を表示する表示装置であり、ドット数がＲ、Ｇ、Ｂそれぞれについて６４０×４８０のＶＧＡ（Video Graphic array）用アクティブマトリクスカラー液晶表示装置である。
【００２１】
　図において、１は水平方向（図中横方向）に走査線Ｈ１、Ｈ２、…、Ｈｍ（ｍ＝４８０）が、垂直方向（図中縦方向）にデータ線ＶＲ１、ＶＧ１、ＶＢ１、ＶＲ２、ＶＧ２、ＶＢ２、…、ＶＲｎ、ＶＧｎ、ＶＢｎ（ｎ＝６４０）が配置され、それら走査線とデータ線との交差点に対応してドットが配列された液晶パネルである。この液晶パネル１におけるドット配列は、データ線ＶＲ１、ＶＲ２、…、ＶＲｎに沿った列にＲ（赤）のドット、データ線ＶＧ１、ＶＧ２、…、ＶＧｎに沿った列にＧ（緑）のドット、データ線ＶＢ１、ＶＢ２、…、ＶＢｎに沿った列にＢ（青）のドットが配列された形となっている。これにより、各々の画素は、左側にＲのドット、中央にＧのドット、右側にＢのドットが配置されて構成されている。
【００２２】
　ここで、各ドットは、図２に示すように、走査線Ｈｉ（ｉ＝１、２、…、ｍ）と接続されたＴＦＴ等のスイッチング素子１０と、それを介してデータ線Ｖｊｋ（ｊ＝Ｒ、Ｇ、Ｂ，ｋ＝１、２、…、ｎ）と接続された液晶層１１とを有している。そして、走査線Ｈｉの走査信号に応じたスイッチング素子１０のＯＮ／ＯＦＦ動作により、液晶層１１へデータ線Ｖｊｋの表示信号を印加するようになっている。又、各ドットには、それぞれ上述の配列によるＲ、Ｇ、Ｂのカラーフィルタが設けられており、それぞれの色を表示する表示要素を構成している。
【００２３】
　図１の符号２は走査線Ｈ１、Ｈ２、…、Ｈｍに対応したｍビットのシフトレジスタやレベルシフト用のアンプ等によって構成された走査線駆動回路である。この走査線駆動回路２は、ｍビットのシフトレジスタの各ビット出力がアンプを介して順次走査線Ｈ１、Ｈ２、…、Ｈｍと接続されており、表示ラインの走査線Ｈ１、Ｈ２、…Ｈｍへ順次所定幅の走査信号（パルス信号）を出力する。これにより、表示データを書き込むべき画素行の各ドットにおける上記スイッチング素子１０をＯＮ状態とする。
【００２４】
　３はデータ線ＶＲ１、ＶＧ１及びＶＢ１、ＶＲ２、ＶＧ２及びＶＢ２、…、ＶＲｎ、ＶＧｎ及びＶＢｎの各組に対応したｎビットのシフトレジスタやレベルシフト用のアンプ等によって構成されたデータ線駆動回路である。このデータ線駆動回路３は、ｎビットのシフトレジスタの各ビット出力が各々スイッチング素子４Ｒ１、４Ｇ１及び４Ｂ１、４Ｒ２、４Ｇ２及び４Ｂ２、…、４Ｒｎ、４Ｇｎ及び４Ｂｎと順次接続されており、順次一定幅のサンプリング信号を出力する。これにより、データ線駆動回路３は、順次、３つのスイッチング素子４Ｒｋ、４Ｇｋ及び４Ｂｋを同時にＯＮ若しくはＯＦＦとする。
【００２５】
　ここに、スイッチング素子４Ｒ１、４Ｇ１、４Ｂ１、４Ｒ２、４Ｇ２、４Ｂ２、…、４Ｒｎ、４Ｇｎ、４Ｂｎは、各々、表示信号線ＬＲ、ＬＧ、ＬＢと、データ線ＶＲ１、ＶＧ１、ＶＢ１、ＶＲ２、ＶＧ２、ＶＢ２、…、ＶＲｎ、ＶＧｎ、ＶＢｎとの間に介挿されて設けられている。そして、データ線駆動回路３からサンプリング信号が出力されたときに、表示信号線ＬＲ、ＬＧ及びＬＢに得られる信号を各々データ線ＶＲｋ、ＶＧｋ及びＶＢｋへ同時に供給するようになっている。
【００２６】
　表示信号線ＬＲ、ＬＧ、ＬＢは各々、表示パネルの各画素を構成するＲドット、Ｇドット、Ｂドットを駆動する信号が印可される信号線である。すなわち、この表示信号線ＬＲ、ＬＧ、ＬＢへは次のような表示信号が印可される。尚、以下の説明において、＋極性、−極性とは一定レベルＶcom（図７、図８参照）を基準にした極性である。
【００２７】
　まず、パネル面の第１画素行（最上の画素行）の第１番目の画素（最左端の画素）を表示するための＋極性の表示信号が印可され、次に、第１画素行の２番目の画素を表示するための−極性の表示信号が印可され、以下、第１画素行の第３、第４、…、第ｎ番目の画素を表示するための信号が＋，−，＋，…の極性で順次印可される。次に、第２画素行の第１番目の画素を表示するための−極性の表示信号が印可され、次に第２画素行の第２番目の画素を表示するための＋極性の表示信号が印可され、以下、同様である。次に、１フィールドの表示が終了すると、次のフィールドの表示信号が上述した場合と逆極性で順次印可される。
【００２８】
　尚、図１では、Ｒ、Ｇ、Ｂそれぞれについて１つの表示信号線となっているが、実際には液晶の応答特性を考慮し、Ｒ、Ｇ、Ｂそれぞれについて複数の表示信号線を設けて相展開と呼ばれる一定の処理を経た表示信号を供給する。以下においては、説明を簡略化するために、Ｒ、Ｇ、それぞれについて表示信号線を１つとした図１に基づいて説明を進めることとし、相展開処理の内容と、相展開した表示信号を伝達する構成については後述する。
【００２９】
　ＮＲＧは、スイッチング素子５、５、…のＯＮ信号を伝達する信号線である。
この信号線ＮＲＧからは、１表示ラインについての表示データの書き込みが終了し、次の表示ラインに対して走査信号が出力された時から、該表示ラインの第１番目の画素に表示信号を印加するまでの微小時間だけスイッチング素子５、５、…をＯＮする信号が供給される。
【００３０】
　ＮＲＳ１、ＮＲＳ２は、表示信号の極性が同一である画素の組（画素行中奇数番目の画素、偶数番目の画素）に対応して設けられた補助入力信号線であり、それぞれスイッチング素子５、５、…を介して奇数番目のデータ線、偶数番目のデータ線と接続されている。これら補助入力信号線ＮＲＳ１、ＮＲＳ２からは、前記微小時間の間に、それぞれが対応する画素の組に直前に供給された表示信号の極性と異なる極性で一定の表示信号が供給される。
【００３１】
　これら信号線ＮＲＧ、補助入力信号線ＮＲＳ１、ＮＲＳ２から供給される信号により、次の表示ラインの各画素における表示信号の極性と同一極性の電圧が印加され、該表示ラインの各ドットにおいて電荷がチャージされる。ここで、前記一定の表示信号は、前記微小時間の間にのみ供給されるので、これによって液晶層の状態が変化することはない。そして、このようにしてチャージされた電荷により、各ドットへの表示信号の印加が充分に行われる。
【００３２】
　次に、上記構成による液晶表示装置の動作について説明する。尚、図３にこの表示動作を図示する。まず、走査線駆動回路２から走査線Ｈ１へ走査信号が出力され、また、表示信号線ＬＲ、ＬＧ、ＬＢへ、パネル面の第１画素行（最上の画素行）の第１番目の画素（最左端の画素）を表示するための＋極性の表示信号が印可され、同時に、データ線駆動回路３がスイッチング素子４Ｒ１、４Ｇ１、４Ｂ１へサンプリング信号を出力する。これにより、パネル面第１画素行、最左端の画素が表示される。
【００３３】
　次に、表示信号線ＬＲ、ＬＧ、ＬＢへ、パネル面の第１画素行（最上の画素行）の第２番目の画素を表示するための−極性の表示信号が印可され、同時に、データ線駆動回路３がスイッチング素子４Ｒ２、４Ｇ２、４Ｂ２へサンプリング信号を出力する。これにより、パネル面第１画素行、第２番目の画素が表示される。以下、同様の過程が繰り返される。
【００３４】
　そして、パネル面第１画素行の全画素の表示処理が終了すると、次に、走査線駆動回路２から走査線Ｈ２へ走査信号が出力され、また、表示信号線ＬＲ、ＬＧ、ＬＢへ、パネル面の第２画素行の第１番目の画素（最左端の画素）を表示するための−極性の表示信号が印可され、同時に、データ線駆動回路３がスイッチング素子４Ｒ１、４Ｇ１、４Ｂ１へサンプリング信号を出力する。これにより、パネル面第２画素行、最左端の画素が表示される。以下、同様にして第２画素行の表示が行われる。
【００３５】
　次に、第２画素行の表示処理が終了すると、以下、第３、第４、…画素行が順次表示される。そして、１フィールドの表示処理が終了すると、再び上記と同様にして次のフィールドの表示処理が行われる。但し、この場合、各画素は前のフィールドと逆極性の信号によって駆動される。
【００３６】
　このように、上記実施形態においては上下方向、左右方向合い隣合う画素がそれぞれ、１フィールドの表示処理において逆極性の電圧によって駆動され、また、同じ画素がフィールド毎に逆極性の電圧によって駆動される。
【００３７】
　ところで、上記実施形態においては、Ｒ、Ｇ、Ｂの各ドットについて、隣接するドットとの駆動電圧極性が異なるのは、各画素の左右に位置するドットとなる。従って、配向不良は各画素の左右いずれか一方の側のドットにおいてのみ発生する。この配向不良が発生する側は、液晶層の構造によって異なるが、本実施形態においては、図４に示すように右側のドットにおいて発生するものとする（図中Ｄの位置）。そして、かかる配向不良が発生する右側のドットには、Ｂのドットが配置されている。
【００３８】
　又、ショート不良が発生した場合、ショートしているドット間で印加電圧の極性が異なっていると輝点欠陥が発生することになるが、上記実施形態においては、各画素内のＲ、Ｇ及びＢの３ドットへ同一極性の表示信号を供給することとしている。従って、中央のＧのドットについては、印加電圧の極性が隣接するＲ、Ｇのドットと常に同一であり、輝点欠陥となることがない。
【００３９】
　ここで、一般に、人間の目の感度は、緑色（Ｇ）に対しては良く、青色（Ｂ）に対しては悪い。このため、Ｇのドットは明確に表示されている方が画質が良く、Ｂのドットは表示に多少の欠陥が生じても、他のＲ（赤色）、Ｇのドットに欠陥が生じる場合に比べて画質を劣化させる度合いが低い。従って、上記液晶パネル１におけるＲ、Ｇ、Ｂのドット配列によれば、Ｇのドットが中央に配置されていることによって、緑の表示についての配向不良及び輝点欠陥が回避され、明確な表示を確保することができると共に、Ｂのドットが配向不良が生ずる位置に配置されていることによって、画質の劣化の影響を最小限にとどめることができる。これにより、液晶パネルの表示品質を格段に向上させることができる。
【００４０】
　次に、上記相展開処理に係る事項について説明する。まず、実際には、表示信号を伝達するための構成は図５に示すようになっている。すなわち、Ｒ、Ｇ、Ｂの表示データに対し、各々、４本の表示信号線ＬＲ１〜ＬＲ４、ＬＧ１〜ＬＧ４、ＬＧ１〜ＬＧ４が設けられる。
【００４１】
　そして、表示信号線ＬＲ１は、サンプルホールドスイッチ４Ｒ１、４Ｒ５、４Ｒ９、…を介して４本毎のデータ線ＶＲ１、ＶＲ５、ＶＲ９、…と順次接続されている。又、表示信号線ＬＲ２〜ＬＲ４も、サンプルホールドスイッチ４Ｒ２、４Ｒ３、４Ｒ４を介してデータ線ＶＲ２、ＶＲ３、ＶＲ４と接続され、以下同様に、各々４本毎のデータ線と順次接続されている。更に、表示信号線ＬＧ１〜ＬＧ４、ＬＢ１〜ＬＢ４も、上記同様、各サンプルホールドスイッチを介して４本毎の各データ線へ順次接続されている。
【００４２】
　このような構成において、以下に述べる相展開処理を施した相展開信号が各データ線へ供給される。図６に相展開の動作を表すタイミングチャートを示す。この図ではＲの表示信号ＶＩＤ−Ｒについてのみ示すが、他のＧ、Ｂの表示信号ＶＩＤ−Ｇ、ＶＩＤ−Ｂについても同様の相展開が行われる。図に示すように、外部から供給される映像信号（ＶＩＤ−Ｒ）は、液晶パネル１のＲの各ドットに対応する情報が直列に並んでいるアナログ信号となっている。この映像信号をドットクロックＤＣにてサンプルホールドする。そして、一定のドット毎のデータをドットクロックＤＣの１周期の整数倍のデータ長を有する表示データに展開し、４本の並列な相展開信号ＶＩＤ１−Ｒ〜ＶＩＤ４−Ｒへ変換する。
【００４３】
　これにより、第１の相展開信号ＶＩＤ１−Ｒは、Ｒの映像信号中の第１、第５、第９、…画素目のドットデータをそれぞれドットクロックＤＣ４周期分のデータ長を有する表示データへ展開したものとなる。同様に、第２、第３、第４の相展開信号ＶＩＤ２−Ｒ、ＶＩＤ３−Ｒ、ＶＩＤ４−Ｒも、各々、第２、第３、第４画素目から４画素毎にドットデータを前記データ長の表示データへ展開したものとなる。尚、各表示データの先頭位置は、図示のようにドットクロックＤＣ１周期分づつずれたものとなるが、このずれた先頭位置は、Ｒ、Ｇ、Ｂの各相の相展開信号同士では一致している。
【００４４】
　そして、相展開信号ＶＩＤ１−Ｒ〜ＶＩＤ４−Ｒは表示信号線ＬＲ１〜ＬＲ４へ、相展開信号ＶＩＤ１−Ｇ〜ＶＩＤ４−Ｇは表示信号線ＬＧ１〜ＬＧ４へ、相展開信号ＶＩＤ１−Ｂ〜ＶＩＤ４−Ｂは表示信号線ＬＢ１〜ＬＢ４へ、各々供給される。尚、ここでは、相展開の一例として映像信号を４相の相展開信号に展開し、４本の表示信号線により供給する場合について述べたが、他のｎ相展開処理を行い、ｎ本の表示信号線を設けて各相の相展開信号を供給することとしてもよい。
【００４５】
　又、上記実施形態においては、ＶＧＡ用アクティブマトリクスカラー液晶表示装置を例として説明したが、本発明による液晶表示装置は、これに限らず他の映像ソース用の表示装置や、ＶＧＡ以上の高密度で表示ドットが配列された表示装置等に用いてもよい。このとき、１Ｄｏｔ反転駆動によれば、ドット配列密度が高ければ高いほど配向不良の発生位置が多くなるが、本発明における画素毎の反転駆動によれば、ドット配列密度が高くとも配向不良の発生位置を少なくすることができ、所望の輝度、画質等を確保することができる。
　　
【図面の簡単な説明】
【００４６】
【図１】本発明の一実施形態による液晶表示装置の概略構成を示す図である。
【図２】液晶パネル１の各ドットの構成を示す図である。
【図３】同実施形態において各ドットへ印加される表示信号の極性を示す図である。
【図４】同実施形態における配向不良の様子を示す図である。
【図５】Ｒ、Ｇ、Ｂの各表示信号を４相展開した相展開信号を伝達するための構成の一例を示す図である。
【図６】相展開の一例として４相展開の動作を表したタイミングチャートである。
【図７】アクティブマトリクス型液晶パネルの構造の概略を示す図である。
【図８】反転駆動において印加される表示信号の波形を示す図である。
【図９】従来の各種極性反転において各ドットへ印加される表示信号の極性を示す図である。
【図１０】１Ｄｏｔ反転における配向不良の様子を示す図である。
【符号の説明】
【００４７】
１　液晶パネル
２　走査線駆動回路
３　データ線駆動回路
４Ｒ１、４Ｇ１、４Ｂ１、…、４Ｒｎ、４Ｇｎ、４Ｂｎ　スイッチング素子
５、５、…　スイッチング素子
Ｈ１、Ｈ２、…、Ｈｍ　走査線
ＬＲ、ＬＧ、ＬＢ　表示信号線
ＶＲ１、ＶＧ１、ＶＢ１、…、ＶＲｎ、ＶＧｎ、ＶＢｎ　データ線
【図１】
2004094270.tif 000003
【図２】
2004094270.tif 000004
【図３】
2004094270.tif 000005
【図４】
2004094270.tif 000006
【図５】
2004094270.tif 000007
【図６】
2004094270.tif 000008
【図７】
2004094270.tif 000009
【図８】
2004094270.tif 000010
【図９】
2004094270.tif 000011
【図１０】
2004094270.tif 000012